【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  光源手段と、該光源手段から発せられた光束を偏向する回転多面鏡から成る偏向手段と、該偏向手段により偏向された光束を被走査面上に結像させる走査光学系と、を具備する光走査装置において、
前記回転多面鏡の外接円の直径をＤ(mm)、該回転多面鏡の偏向面の面数をＭ、前記偏向手段により偏向された光束が走査中心を走査しているときの該偏向面へ入射してくる光束の主走査断面内における入射角度をα(rad)、前記偏向面が有効走査範囲を走査するときの最大振り角度をθ(rad)、前記走査光学系の副走査断面内の倍率をβとするとき、
【数１】
2004354500.tif 000001
の条件を満足することを特徴とする光走査装置。
【請求項２】  前記光源手段と前記偏向手段の間の光路中に配置された変換光学素子を備え、該光源手段から発せられる光束の波長をλ(mm)、前記走査光学系の主走査断面内の焦点距離をｆ(mm)、該光源手段から発せられる光束を他の光束に変換する変換光学素子の主走査断面内の焦点距離をｆ'(mm)とするとき、該変換光学素子のＦナンバーは５以上で、かつ
λ・（ｆ／ｆ'）≦８．１×10-3（ｍｍ）
の条件を満足することを特徴とする請求項１に記載の光走査装置。
【請求項３】  光源手段と、該光源手段から発せられた光束を偏向する偏向手段と、該偏向手段により偏向された光束を被走査面上に結像させる走査光学系と、を具備し、主走査断面内において該偏向手段の偏向面に入射する光束の幅は該偏向面の幅よりも広い光走査装置において、
該回転多面鏡の外接円の直径をＤ(mm)、該回転多面鏡の偏向面の面数をＭ、前記偏向手段により偏向された光束が走査中心を走査しているときの該偏向面へ入射してくる光束の主走査断面内における入射角度をα(rad)、前記偏向面が有効走査範囲を走査するときの最大振り角度をθ(rad)、前記走査光学系の副走査断面内の倍率をβとするとき、
【数２】
2004354500.tif 000002
の条件を満足することを特徴とする光走査装置。
【請求項４】  前記光源手段から発せられる光束の波長をλ(mm)、前記走査光学系の主走査断面内の焦点距離をｆ(mm)とするとき、
【数３】
2004354500.tif 000003
の条件を満足することを特徴とする請求項３に記載の光走査装置。
【請求項５】  前記回転多面鏡を回転駆動する駆動手段と、該回転多面鏡を回転支持する軸受部とを有し、該回転多面鏡が該軸受部の回転部を構成する軸部材の外側面に直接加工された複数の偏向面によって構成されていることを特徴とする請求項１乃至４の何れか一項に記載の光走査装置。
【請求項６】  前記回転多面鏡を回転駆動する駆動手段と、該回転多面鏡を回転支持する軸受部とを有し、該回転多面鏡が該軸受部の回転部を構成するスリーブ部材の外側面に直接加工された複数の偏向面によって構成されていることを特徴とする請求項１乃至４の何れか一項に記載の光走査装置。
【請求項７】  前記走査光学系は、面倒れ補正光学系であることを特徴とする請求項１乃至６の何れか一項に記載の走査光学系。
【請求項８】  前記光源手段から発せられる光束の波長は５００ｎｍ以下であることを特徴とする請求項１乃至７の何れか一項に記載の光走査装置。
【請求項９】  前記光源手段は複数の発光部を有することを特徴とする請求項１乃至８の何れか一項に記載の光走査装置。
【請求項１０】  請求項１乃至９の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１１】  請求項１０に記載の光走査装置と、外部機器から入力したコードデータを画像信号に変換して前記光走査装置に入力せしめるプリンタコントローラとを有していることを特徴とする画像形成装置。
【請求項１２】  各々が請求項１乃至９の何れか１項に記載の光走査装置の被走査面に配置され、互いに異なった色の画像を形成する複数の像担持体とを有することを特徴とするカラー画像形成装置。
【請求項１３】  外部機器から入力した色信号を異なった色の画像データに変換して各々の光走査装置に入力せしめるプリンタコントローラを有していることを特徴とする請求項１２記載のカラー画像形成装置。
【手続補正２】
【補正対象書類名】明細書
【補正対象項目名】００１６
【補正方法】変更
【補正の内容】
【００１６】
請求項１の発明の光走査装置は、光源手段と、該光源手段から発せられた光束を偏向する回転多面鏡から成る偏向手段と、該偏向手段により偏向された光束を被走査面上に結像させる走査光学系と、を具備する光走査装置において、
前記回転多面鏡の外接円の直径をＤ(mm)、該回転多面鏡の偏向面の面数をＭ、前記偏向手段により偏向された光束が走査中心を走査しているときの該偏向面へ入射してくる光束の主走査断面内における入射角度をα(rad)、前記偏向面が有効走査範囲を走査するときの最大振り角度をθ(rad)、前記走査光学系の副走査断面内の倍率をβとするとき、
【数４】
2004354500.tif 000004
の条件を満足することを特徴としている。
【手続補正３】
【補正対象書類名】明細書
【補正対象項目名】００１７
【補正方法】変更
【補正の内容】
【００１７】
請求項２の発明は請求項１の発明において、前記光源手段と前記偏向手段の間の光路中に配置された変換光学素子を備え、該光源手段から発せられる光束の波長をλ(mm)、前記走査光学系の主走査断面内の焦点距離をｆ(mm)、該光源手段から発せられる光束を他の光束に変換する変換光学素子の主走査断面内の焦点距離をｆ'(mm)とするとき、該変換光学素子のＦナンバーは５以上で、かつ
λ・（ｆ／ｆ'）≦８．１×10-3（ｍｍ）
の条件を満足することを特徴としている。
【手続補正４】
【補正対象書類名】明細書
【補正対象項目名】００１８
【補正方法】変更
【補正の内容】
【００１８】
請求項３の発明の光走査装置は、光源手段と、該光源手段から発せられた光束を偏向する偏向手段と、該偏向手段により偏向された光束を被走査面上に結像させる走査光学系と、を具備し、主走査断面内において該偏向手段の偏向面に入射する光束の幅は該偏向面の幅よりも広い光走査装置において、
該回転多面鏡の外接円の直径をＤ(mm)、該回転多面鏡の偏向面の面数をＭ、前記偏向手段により偏向された光束が走査中心を走査しているときの該偏向面へ入射してくる光束の主走査断面内における入射角度をα(rad)、前記偏向面が有効走査範囲を走査するときの最大振り角度をθ(rad)、前記走査光学系の副走査断面内の倍率をβとするとき、
【数５】
2004354500.tif 000005
の条件を満足することを特徴としている。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００４６
【補正方法】変更
【補正の内容】
【００４６】
本実施形態において、回転多面鏡へ入射する光束の光路差（回転多面鏡が回転する間の光路差）Δは、該回転多面鏡の外接円の直径をＤ（ｍｍ）、該回転多面鏡の偏向面の面数をＭ、光束の走査中心を走査しているときの偏向面への主走査断面内における入射角度をα(rad)、偏向面が有効走査範囲を走査するときの最大振り角度をθ(rad)とすると、
【手続補正９】
【補正対象書類名】明細書
【補正対象項目名】００５６
【補正方法】変更
【補正の内容】
【００５６】
また本実施形態において半導体レーザーから発せられる光束の波長をλ(mm)、走査光学系の主走査断面内の焦点距離をｆ(mm)、コリメーターレンズの主走査断面内の焦点距離をf'(mm)とするとき、該コリメーターレンズのＦナンバー（Ｆｎｏ）は５以上で、かつ
λ・（ｆ／ｆ'）≦８．１×10-3（ｍｍ）        ・・・（２）
の条件を満足するに各要素を設定している。回転多面鏡が小さくなると該回転多面鏡の偏向面に入射する光束の幅が小さくなるので、上記条件式（２）を外れるとスポットが大きくなりすぎ高精細な印字が得られなくなってくるので良くない。